(57)【特許請求の範囲】
【請求項１】
第１ＬＥＤ光源と、第１ＬＥＤ光源から放射された光を集光させるための楕円系反射面を有する第１リフレクタと、第１リフレクタの楕円系反射面からの反射光を投影するための第１投影レンズと、第１ＬＥＤ光源から放射された光を集光させるための楕円系反射面を有する第２リフレクタと、第２リフレクタの楕円系反射面からの反射光を投影するための第２投影レンズとを具備し、
第１リフレクタの楕円系反射面の第１焦点の近傍であって、第２リフレクタの楕円系反射面の第１焦点の近傍に第１ＬＥＤ光源を配置し、第１リフレクタの楕円系反射面の第２焦点を第１ＬＥＤ光源と第１投影レンズとの間に配置し、第２リフレクタの楕円系反射面の第２焦点を第１ＬＥＤ光源と第２投影レンズとの間に配置し、
第１投影レンズから照射される光の主光軸線を、第２投影レンズから照射される光の主光軸線とは逆向きに指向させ、
第１投影レンズから照射される光の主光軸線と第２投影レンズから照射される光の主光軸線とを含む鉛直面上に第１ＬＥＤ光源を配置し、
第１投影レンズからの光の一部および第２投影レンズからの光の一部を路面に照射し、
第１投影レンズからの光の一部および第２投影レンズからの光の一部を路面よりも上側の空間に照射することを特徴とする路面設置型灯具。
【請求項２】
共用の第１ＬＥＤ光源によって、第１リフレクタ・第１投影レンズ用ＬＥＤ光源と、第２リフレクタ・第２投影レンズ用ＬＥＤ光源とを構成したことを特徴とする請求項１に記載の路面設置型灯具。
【請求項３】
第１リフレクタおよび第２リフレクタを一部材によって構成したことを特徴とする請求項１又は２に記載の路面設置型灯具。
【請求項４】
第２光源と、第２光源から放射された光を反射するための反射面を有する第３リフレクタと、第３リフレクタの反射面からの反射光を拡散させるためのレンズカット部を有する第３レンズと、第３光源と、第３光源から放射された光を反射するための反射面を有する第４リフレクタと、第４リフレクタの反射面からの反射光を拡散させるためのレンズカット部を有する第４レンズとを具備し、
第３レンズから照射される光の主光軸線を、第１投影レンズから照射される光の主光軸線と第２投影レンズから照射される光の主光軸線とを含む鉛直面を隔てて一方の側に指向させ、
第４レンズから照射される光の主光軸線を、第３レンズから照射される光の主光軸線とは逆向きに指向させることを特徴とする請求項１〜３のいずれか一項に記載の路面設置型灯具。
【請求項５】
路面設置型灯具の底板上に第１ＬＥＤ光源を配置したことを特徴とする請求項１〜４のいずれか一項に記載の路面設置型灯具。
【発明の詳細な説明】
【技術分野】
【０００１】
本発明は、光源から放射された光が、リフレクタの楕円系反射面によって集光せしめられ、次いで、投影レンズを介して照射される路面設置型灯具に関し、特には、路面およびその上側の空間の両方を明るく照らすことができる路面設置型灯具に関する。
【０００２】
詳細には、本発明は、路面設置型灯具の一方の側の路面およびその上側の空間を明るく照らすと共に、路面設置型灯具の他方の側の路面およびその上側の空間を明るく照らすことができる路面設置型灯具に関する。
【背景技術】
【０００３】
従来から、光源と、光源から放射された光を集光させるための楕円系反射面を有するリフレクタと、リフレクタの楕円系反射面からの反射光を投影するための投影レンズとを具備し、リフレクタの楕円系反射面の第１焦点の近傍に光源を配置し、リフレクタの楕円系反射面の第２焦点を光源と投影レンズとの間に配置した路面設置型灯具が知られている。
【０００４】
この種の路面設置型灯具の例としては、例えば特公昭６１−１２０４２号公報の図２に記載されたものがある。特公昭６１−１２０４２号公報の図２に記載された路面設置型灯具では、楕円系反射面を有するリフレクタを用いることにより、放物系反射面を有するリフレクタが用いられる特公昭６１−１２０４２号公報の図３に記載された路面設置型灯具よりも、光の利用効率が向上せしめられている。
【０００５】
ところで、特公昭６１−１２０４２号公報の図２に記載された路面設置型灯具は、路面標識灯として用いられている。詳細には、例えば滑走路上の飛行機を誘導するための路面標識灯として用いられている。
【０００６】
そのため、特公昭６１−１２０４２号公報の図２に記載された路面設置型灯具では、投影レンズからの光のすべてが路面よりも上側の空間に向かって照射される。その結果、特公昭６１−１２０４２号公報の図２に記載された路面設置型灯具では、投影レンズからの光によって路面自体を明るく照らすことができない。
【先行技術文献】
【特許文献】
【０００７】
【特許文献１】特公昭６１−１２０４２号公報の図２
【発明の概要】
【発明が解決しようとする課題】
【０００８】
前記問題点に鑑み、本発明は、路面およびその上側の空間の両方を明るく照らすことができる路面設置型灯具を提供することを目的とする。
【０００９】
詳細には、本発明は、路面設置型灯具の一方の側の路面およびその上側の空間を明るく照らすと共に、路面設置型灯具の他方の側の路面およびその上側の空間を明るく照らすことができる路面設置型灯具を提供することを目的とする。
【課題を解決するための手段】
【００１０】
請求項１に記載の発明によれば、第１ＬＥＤ光源と、第１ＬＥＤ光源から放射された光を集光させるための楕円系反射面を有する第１リフレクタと、第１リフレクタの楕円系反射面からの反射光を投影するための第１投影レンズと、第１ＬＥＤ光源から放射された光を集光させるための楕円系反射面を有する第２リフレクタと、第２リフレクタの楕円系反射面からの反射光を投影するための第２投影レンズとを具備し、
第１リフレクタの楕円系反射面の第１焦点の近傍であって、第２リフレクタの楕円系反射面の第１焦点の近傍に第１ＬＥＤ光源を配置し、第１リフレクタの楕円系反射面の第２焦点を第１ＬＥＤ光源と第１投影レンズとの間に配置し、第２リフレクタの楕円系反射面の第２焦点を第１ＬＥＤ光源と第２投影レンズとの間に配置し、
第１投影レンズから照射される光の主光軸線を、第２投影レンズから照射される光の主光軸線とは逆向きに指向させ、
第１投影レンズから照射される光の主光軸線と第２投影レンズから照射される光の主光軸線とを含む鉛直面上に第１ＬＥＤ光源を配置し、
第１投影レンズからの光の一部および第２投影レンズからの光の一部を路面に照射し、
第１投影レンズからの光の一部および第２投影レンズからの光の一部を路面よりも上側の空間に照射することを特徴とする路面設置型灯具が提供される。
【００１１】
請求項２に記載の発明によれば、共用の第１ＬＥＤ光源によって、第１リフレクタ・第１投影レンズ用ＬＥＤ光源と、第２リフレクタ・第２投影レンズ用ＬＥＤ光源とを構成したことを特徴とする請求項１に記載の路面設置型灯具が提供される。
【００１２】
請求項３に記載の発明によれば、第１リフレクタおよび第２リフレクタを一部材によって構成したことを特徴とする請求項１又は２に記載の路面設置型灯具が提供される。
【００１３】
請求項４に記載の発明によれば、第２光源と、第２光源から放射された光を反射するための反射面を有する第３リフレクタと、第３リフレクタの反射面からの反射光を拡散させるためのレンズカット部を有する第３レンズと、第３光源と、第３光源から放射された光を反射するための反射面を有する第４リフレクタと、第４リフレクタの反射面からの反射光を拡散させるためのレンズカット部を有する第４レンズとを具備し、
第３レンズから照射される光の主光軸線を、第１投影レンズから照射される光の主光軸線と第２投影レンズから照射される光の主光軸線とを含む鉛直面を隔てて一方の側に指向させ、
第４レンズから照射される光の主光軸線を、第３レンズから照射される光の主光軸線とは逆向きに指向させることを特徴とする請求項１〜３のいずれか一項に記載の路面設置型灯具が提供される。
【００１４】
請求項５に記載の発明によれば、路面設置型灯具の底板上に第１ＬＥＤ光源を配置したことを特徴とする請求項１〜４のいずれか一項に記載の路面設置型灯具が提供される。
【発明の効果】
【００１５】
請求項１に記載の路面設置型灯具では、第１ＬＥＤ光源と、第１ＬＥＤ光源から放射された光を集光させるための楕円系反射面を有する第１リフレクタと、第１リフレクタの楕円系反射面からの反射光を投影するための第１投影レンズとが設けられている。更に、第１ＬＥＤ光源が第１リフレクタの楕円系反射面の第１焦点の近傍に配置され、第１リフレクタの楕円系反射面の第２焦点が、第１ＬＥＤ光源と第１投影レンズとの間に配置されている。
【００１６】
また、請求項１に記載の路面設置型灯具では、第１ＬＥＤ光源から放射された光を集光させるための楕円系反射面を有する第２リフレクタと、第２リフレクタの楕円系反射面からの反射光を投影するための第２投影レンズとが設けられている。更に、第１ＬＥＤ光源が第２リフレクタの楕円系反射面の第１焦点の近傍に配置され、第２リフレクタの楕円系反射面の第２焦点が、第１ＬＥＤ光源と第２投影レンズとの間に配置されている。
【００１７】
更に、請求項１に記載の路面設置型灯具では、第１投影レンズから照射される光の主光軸線が、第２投影レンズから照射される光の主光軸線とは逆向きに指向せしめられている。また、第１投影レンズから照射される光の主光軸線と第２投影レンズから照射される光の主光軸線とを含む鉛直面上に第１ＬＥＤ光源が配置されている。
【００１８】
詳細には、請求項１に記載の路面設置型灯具では、第１投影レンズからの光が、第１投影レンズの側の路面に照射されると共に、その路面よりも上側の空間に照射される。
【００１９】
そのため、請求項１に記載の路面設置型灯具によれば、第１投影レンズの側の路面およびその上側の空間を明るく照らすことができる。
【００２０】
また、請求項１に記載の路面設置型灯具では、第２投影レンズからの光が、第１投影レンズの反対側の第２投影レンズの側の路面に照射されると共に、その路面よりも上側の空間に照射される。
【００２１】
そのため、請求項１に記載の路面設置型灯具によれば、第１投影レンズの反対側の第２投影レンズの側の路面およびその上側の空間を明るく照らすことができる。
【００２２】
つまり、請求項１に記載の路面設置型灯具によれば、第１投影レンズの側の路面およびその上側の空間を明るく照らすと共に、第１投影レンズの反対側の第２投影レンズの側の路面およびその上側の空間を明るく照らすことができる。
【００２３】
その結果、請求項１に記載の路面設置型灯具によれば、例えば特公昭６１−１２０４２号公報の図２に記載された単なる路面標識灯とは異なり、路面設置型灯具から照射される光によって、道路の走行車両、歩行者等が道路前方にある危険物、障害物等を早期に発見することができる。
【００２４】
詳細には、請求項１に記載の路面設置型灯具によれば、道路の走行車両の前照灯からの光が届かない程度に走行車両から離れている位置の路面状況を、路面設置型灯具から照射される光によってある程度把握することができる。
【００２５】
請求項２に記載の路面設置型灯具では、共用の第１ＬＥＤ光源によって、第１リフレクタ・第１投影レンズ用ＬＥＤ光源と、第２リフレクタ・第２投影レンズ用ＬＥＤ光源とが構成されている。つまり、請求項２に記載の路面設置型灯具では、第１リフレクタ・第１投影レンズ用ＬＥＤ光源と、第２リフレクタ・第２投影レンズ用ＬＥＤ光源とが兼用されている。そのため、請求項２に記載の路面設置型灯具によれば、第１リフレクタ・第１投影レンズ用ＬＥＤ光源と、第２リフレクタ・第２投影レンズ用ＬＥＤ光源とが別個に設けられている場合よりも、路面設置型灯具全体のコストを抑制することができる。
【００２６】
請求項３に記載の路面設置型灯具では、第１リフレクタおよび第２リフレクタが一部材によって構成されている。そのため、請求項３に記載の路面設置型灯具によれば、第１リフレクタと第２リフレクタとが別個の部材によって構成されている場合よりも、路面設置型灯具の組立コストを抑制することができる。
【００２７】
請求項４に記載の路面設置型灯具では、第２光源から放射された光が、第３リフレクタの反射面によって反射され、次いで、第３レンズのレンズカット部によって拡散せしめられて照射される。
【００２８】
詳細には、請求項４に記載の路面設置型灯具では、第３レンズから照射される光の主光軸線が、第１投影レンズから照射される光の主光軸線と第２投影レンズから照射される光の主光軸線とを含む鉛直面を隔てて一方の側に指向せしめられている。
【００２９】
更に、請求項４に記載の路面設置型灯具では、第３光源から放射された光が、第４リフレクタの反射面によって反射され、次いで、第４レンズのレンズカット部によって拡散せしめられて照射される。
【００３０】
詳細には、請求項４に記載の路面設置型灯具では、第４レンズから照射される光の主光軸線が、第３レンズから照射される光の主光軸線とは逆向きに指向せしめられている。
【００３１】
そのため、請求項４に記載の路面設置型灯具によれば、第３レンズから照射される光によって、第１投影レンズから照射される光の主光軸線と第２投影レンズから照射される光の主光軸線とを含む鉛直面を隔てて一方の側の走行車両、歩行者等に路面設置型灯具を認識させることができる。更に、第４レンズから照射される光によって、第１投影レンズから照射される光の主光軸線と第２投影レンズから照射される光の主光軸線とを含む鉛直面を隔てて他方の側の走行車両、歩行者等に路面設置型灯具を認識させることができる。
【００３２】
請求項５に記載の路面設置型灯具では、第１ＬＥＤ光源が路面設置型灯具の底板上に配置されている。つまり、請求項５に記載の路面設置型灯具では、第１ＬＥＤ光源が路面設置型灯具の最も低い位置に配置されている。そのため、請求項５に記載の路面設置型灯具によれば、第１ＬＥＤ光源が路面設置型灯具の比較的高い位置に配置されている場合よりも、路面設置型灯具の高さ方向寸法を抑制することができる。
【図面の簡単な説明】
【００３３】
【図１】第１の実施形態の路面設置型灯具１００の斜視図である。
【図２】図１中の底板４およびハウジング５を透視して見た斜視図である。
【図３】図１中の底板４およびハウジング５を透視して図２とは別の角度から見た斜視図である。
【図４】投影レンズ３ａから照射される光Ｌ１ａ’，Ｌ１ａ”の主光軸線Ｌ１ａと、投影レンズ３ｂから照射される光Ｌ１ｂ’，Ｌ１ｂ”の主光軸線Ｌ１ｂとを含む鉛直面に沿った第１の実施形態の路面設置型灯具１００の断面図である。
【図５】レンズ１３ａから照射される光の主光軸線Ｌ１１ａと、レンズ１３ｂから照射される光の主光軸線Ｌ１１ｂとを含む鉛直面に沿った第１の実施形態の路面設置型灯具１００の断面図である。
【図６】左カーブの道路のセンターラインＣＬ上に複数の路面設置型灯具１００が配列された状況を示した斜視図である。
【発明を実施するための形態】
【００３４】
以下、本発明の路面設置型灯具の第１の実施形態について説明する。図１は第１の実施形態の路面設置型灯具１００の斜視図、図２は図１中の底板４およびハウジング５を透視して見た斜視図、図３は図１中の底板４およびハウジング５を透視して図２とは別の角度から見た斜視図である。図４は投影レンズ３ａから照射される光Ｌ１ａ’，Ｌ１ａ”の主光軸線Ｌ１ａと、投影レンズ３ｂから照射される光Ｌ１ｂ’，Ｌ１ｂ”の主光軸線Ｌ１ｂとを含む鉛直面に沿った第１の実施形態の路面設置型灯具１００の断面図である。図５はレンズ１３ａから照射される光の主光軸線Ｌ１１ａと、レンズ１３ｂから照射される光の主光軸線Ｌ１１ｂとを含む鉛直面に沿った第１の実施形態の路面設置型灯具１００の断面図である。図６は左カーブの道路のセンターラインＣＬ上に複数の路面設置型灯具１００が配列された状況を示した斜視図である。
【００３５】
第１の実施形態の路面設置型灯具１００では、図４に示すように、ＬＥＤ光源１が路面設置型灯具１００の底板４上に配置されている。
【００３６】
第１の実施形態の路面設置型灯具１００では、図４に示すように、ＬＥＤ光源１が、リフレクタ２の第１リフレクタ部２ａの楕円系反射面２ａ１の第１焦点の近傍に配置されると共に、リフレクタ２の第２リフレクタ部２ｂの楕円系反射面２ｂ１の第１焦点の近傍に配置されている。
【００３７】
詳細には、第１の実施形態の路面設置型灯具１００では、図４に示すように、ＬＥＤ光源１から放射された光の一部が、第１リフレクタ部２ａの楕円系反射面２ａ１によって反射され、楕円系反射面２ａ１の第２焦点ｆ２ａの近傍に集光せしめられる。次いで、楕円系反射面２ａ１の第２焦点ｆ２ａの近傍から放射状に広がりながら進む楕円系反射面２ａ１からの反射光が、投影レンズ３ａによって集光せしめられ、まとまりのある光Ｌ１ａ’，Ｌ１ａ”としてセンターラインＣＬの右側の車線（図６参照）に照射される。
【００３８】
また、第１の実施形態の路面設置型灯具１００では、図４に示すように、ＬＥＤ光源１から放射された光の一部が、第２リフレクタ部２ｂの楕円系反射面２ｂ１によって反射され、楕円系反射面２ｂ１の第２焦点ｆ２ｂの近傍に集光せしめられる。次いで、楕円系反射面２ｂ１の第２焦点ｆ２ｂの近傍から放射状に広がりながら進む楕円系反射面２ｂ１からの反射光が、投影レンズ３ｂによって集光せしめられ、まとまりのある光Ｌ１ｂ’，Ｌ１ｂ”としてセンターラインＣＬの左側の車線（図６参照）に照射される。
【００３９】
つまり、第１の実施形態の路面設置型灯具１００では、図４および図６に示すように、投影レンズ３ａから照射される光Ｌ１ａ’，Ｌ１ａ”の主光軸線Ｌ１ａが、道路のセンターラインＣＬに対して概略直交する向きであって道路のセンターラインＣＬの右側（図４および図６の右側）の車線に指向せしめられている。詳細には、投影レンズ３ａからの光Ｌ１ａ’が、道路のセンターラインＣＬの右側の車線の路面１０に照射されると共に、投影レンズ３ａからの光Ｌ１ａ”が、その路面１０よりも上側の空間に照射される。そのため、第１の実施形態の路面設置型灯具１００によれば、道路のセンターラインＣＬの右側の車線の路面１０およびその上側の空間を明るく照らすことができる。
【００４０】
また、第１の実施形態の路面設置型灯具１００では、図４および図６に示すように、投影レンズ３ｂから照射される光Ｌ１ｂ’，Ｌ１ｂ”の主光軸線Ｌ１ｂが、道路のセンターラインＣＬに対して概略直交する向きであって道路のセンターラインＣＬの左側（図４および図６の左側）の車線に指向せしめられている。詳細には、投影レンズ３ｂからの光Ｌ１ｂ’が、道路のセンターラインＣＬの左側の車線の路面１０に照射されると共に、投影レンズ３ｂからの光Ｌ１ｂ”が、その路面１０よりも上側の空間に照射される。そのため、第１の実施形態の路面設置型灯具１００によれば、道路のセンターラインＣＬの左側の車線の路面１０およびその上側の空間を明るく照らすことができる。
【００４１】
その結果、第１の実施形態の路面設置型灯具１００によれば、例えば特公昭６１−１２０４２号公報の図２に記載された単なる路面標識灯とは異なり、路面設置型灯具１００から照射される光Ｌ１ａ’，Ｌ１ａ”，Ｌ１ｂ’，Ｌ１ｂ”によって、道路の走行車両、歩行者等が道路前方にある危険物、障害物等を早期に発見することができる。
【００４２】
詳細には、第１の実施形態の路面設置型灯具１００によれば、道路の走行車両の前照灯からの光が届かない程度に走行車両から離れている位置の路面１０の状況を、路面設置型灯具１００から照射される光Ｌ１ａ’，Ｌ１ａ”，Ｌ１ｂ’，Ｌ１ｂ”によってある程度把握することができる。
【００４３】
更に、第１の実施形態の路面設置型灯具１００では、図４に示すように、第１リフレクタ部２ａ・投影レンズ３ａ用ＬＥＤ光源、および、第２リフレクタ部２ｂ・投影レンズ３ｂ用ＬＥＤ光源として、共用のＬＥＤ光源１が用いられている。つまり、第１の実施形態の路面設置型灯具１００では、第１リフレクタ部２ａ・投影レンズ３ａ用ＬＥＤ光源１と、第２リフレクタ部２ｂ・投影レンズ３ｂ用ＬＥＤ光源１とが兼用されている。そのため、第１の実施形態の路面設置型灯具１００によれば、第１リフレクタ部２ａ・投影レンズ３ａ用ＬＥＤ光源と、第２リフレクタ部２ｂ・投影レンズ３ｂ用ＬＥＤ光源とが別個に設けられている場合よりも、路面設置型灯具１００全体のコストを抑制することができる。
【００４４】
また、第１の実施形態の路面設置型灯具１００では、図２、図３および図４に示すように、第１リフレクタ部２ａおよび第２リフレクタ部２ｂが一部材のリフレクタ２として構成されている。そのため、第１の実施形態の路面設置型灯具１００によれば、第１リフレクタ部２ａと第２リフレクタ部２ｂとが別個のリフレクタとして構成されている場合よりも、路面設置型灯具１００の組立コストを抑制することができる。
【００４５】
詳細には、第１の実施形態の路面設置型灯具１００では、図４に示すように、第１リフレクタ部２ａの楕円系反射面２ａ１からの反射光を透過させるため、および、投影レンズ３ａを取り付けるための開口５ａが、ハウジング５に形成されている。また、第２リフレクタ部２ｂの楕円系反射面２ｂ１からの反射光を透過させるため、および、投影レンズ３ｂを取り付けるための開口５ｂが、ハウジング５に形成されている。
【００４６】
更に、第１の実施形態の路面設置型灯具１００では、図５に示すように、例えばＬＥＤのような光源１１ａが幅狭の（図５の手前−奥側方向の寸法が小さい）板状部材６ａ上に配置され、その板状部材６ａが路面設置型灯具１００の底板４上に配置されている。また、例えばＬＥＤのような光源１１ｂが幅狭の（図５の手前−奥側方向の寸法が小さい）板状部材６ｂ上に配置され、その板状部材６ｂが路面設置型灯具１００の底板４上に配置されている。第１の実施形態の路面設置型灯具１００では、光源１１ａ，１１ｂとして例えば赤色系、黄色系などのＬＥＤが用いられているが、第２の実施形態の路面設置型灯具では、代わりに、例えば電球などのようなＬＥＤ以外のものを光源１１ａ，１１ｂとして用いることも可能である。
【００４７】
第１の実施形態の路面設置型灯具１００では、図５に示すように、光源１１ａが、リフレクタ１２ａの放物系反射面１２ａ１の焦点の近傍に配置されると共に、光源１１ｂが、リフレクタ１２ｂの放物系反射面１２ｂ１の焦点の近傍に配置されている。
【００４８】
更に、第１の実施形態の路面設置型灯具１００では、図５に示すように、光源１１ａから放射された光の一部が、リフレクタ１２ａの放物系反射面１２ａ１によって反射される。次いで、放物系反射面１２ａ１からの概略水平な反射光が、レンズ１３ａのレンズカット部１３ａ１によって拡散せしめられて照射される。詳細には、第１の実施形態の路面設置型灯具１００では、レンズ１３ａから照射される光の主光軸線Ｌ１１ａが、道路のセンターラインＣＬに概略平行な一方の向き（図６の上向き）に指向せしめられている。
【００４９】
また、第１の実施形態の路面設置型灯具１００では、図５に示すように、光源１１ｂから放射された光の一部が、リフレクタ１２ｂの放物系反射面１２ｂ１によって反射される。次いで、放物系反射面１２ｂ１からの概略水平な反射光が、レンズ１３ｂのレンズカット部１３ｂ１によって拡散せしめられて照射される。詳細には、第１の実施形態の路面設置型灯具１００では、レンズ１３ｂから照射される光の主光軸線Ｌ１１ｂが、レンズ１３ａから照射される光の主光軸線Ｌ１１ａとは逆向き（図６の下向き）に指向せしめられている。
【００５０】
そのため、第１の実施形態の路面設置型灯具１００によれば、レンズ１３ａから照射される光によって、図６の下向きに走行する車両、図６の下向きに歩行する歩行者等に道路のセンターラインＣＬを認識させることができる。更に、レンズ１３ｂから照射される光によって、図６の上向きに走行する車両、図６の上向きに歩行する歩行者等に道路のセンターラインＣＬを認識させることができる。
【００５１】
詳細には、第１の実施形態の路面設置型灯具１００では、図５に示すように、リフレクタ１２ａの放物系反射面１２ａ１からの反射光を透過させるため、および、レンズ１３ａを取り付けるための開口５ｃが、ハウジング５に形成されている。また、リフレクタ１２ｂの放物系反射面１２ｂ１からの反射光を透過させるため、および、レンズ１３ｂを取り付けるための開口５ｄが、ハウジング５に形成されている。
【００５２】
第１の実施形態の路面設置型灯具１００では、図６の下向きに走行する車両に道路のセンターラインＣＬを認識させるために、図５に示すように、光源１１ａと、リフレクタ１２ａと、レンズ１３ａとが設けられているが、第３の実施形態の路面設置型灯具では、光源１１ａとリフレクタ１２ａとレンズ１３ａとを省略し、代わりに、図５中のレンズ１３ａの位置にリフレックスリフレクタを配置することも可能である。第３の実施形態の路面設置型灯具１００によれば、そのリフレックスリフレクタからの反射光によって、図６の下向きに走行する車両に道路のセンターラインＣＬを認識させることができる。
【００５３】
同様に、第１の実施形態の路面設置型灯具１００では、図６の上向きに走行する車両に道路のセンターラインＣＬを認識させるために、図５に示すように、光源１１ｂと、リフレクタ１２ｂと、レンズ１３ｂとが設けられているが、第３の実施形態の路面設置型灯具では、光源１１ｂとリフレクタ１２ｂとレンズ１３ｂとを省略し、代わりに、図５中のレンズ１３ｂの位置にリフレックスリフレクタを配置することも可能である。第３の実施形態の路面設置型灯具１００によれば、そのリフレックスリフレクタからの反射光によって、図６の上向きに走行する車両に道路のセンターラインＣＬを認識させることができる。
【００５４】
更に、第１の実施形態の路面設置型灯具１００では、図４に示すように、ＬＥＤ光源１が路面設置型灯具１００の底板４上に配置されている。つまり、ＬＥＤ光源１が路面設置型灯具１００の最も低い位置に配置されている。そのため、第１の実施形態の路面設置型灯具１００によれば、ＬＥＤ光源１が路面設置型灯具１００の比較的高い位置に配置されている場合よりも、路面設置型灯具１００の高さ方向寸法を抑制することができる。
【００５５】
また、第１の実施形態の路面設置型灯具１００では、図４に示すように、第１リフレクタ部２ａおよび投影レンズ３ａと、第２リフレクタ部２ｂおよび投影レンズ３ｂとが、主光軸線Ｌ１１ａ，Ｌ１１ｂ（図５参照）を含む鉛直面に対して鏡像関係に構成されている。更に、図５に示すように、光源１１ａ，支持部材６ａ，リフレクタ１２ａおよびレンズ１３ａと、光源１１ｂ，支持部材６ｂ，リフレクタ１２ｂおよびレンズ１３ｂとが、主光軸線Ｌ１ａ，Ｌ１ｂ（図４参照）を含む鉛直面に対して鏡像関係に構成されている。
【００５６】
詳細には、第１の実施形態の路面設置型灯具１００では、投影レンズ３ａ，３ｂが、図４に示すように、鉛直断面内においては凸状に構成されているが、図２および図３に示すように、水平断面内においては、投影レンズ３ａ，３ｂの内側表面（光源１の側の表面）と外側表面（光源の反対側の表面）とがほぼ平行になっている。そのため、第１の実施形態の路面設置型灯具１００では、楕円系反射面２ａ１の第２焦点ｆ２ａの近傍から水平方向に放射状に広がりながら進む楕円系反射面２ａ１からの反射光が、投影レンズ３ａを透過せしめられ、水平方向に放射状に広がりながら進む光として投影レンズ３ａから照射される。また、楕円系反射面２ｂ１の第２焦点ｆ２ｂの近傍から水平方向に放射状に広がりながら進む楕円系反射面２ｂ１からの反射光が、投影レンズ３ｂを透過せしめられ、水平方向に放射状に広がりながら進む光として投影レンズ３ｂから照射される。
【００５７】
第４の実施形態では、上述した第１から第３の実施形態を適宜組み合わせることも可能である。
【符号の説明】
【００５８】
１                      ＬＥＤ光源
２                      リフレクタ
２ａ，２ｂ              リフレクタ部
２ａ１，２ｂ１          楕円系反射面
３ａ，３ｂ              投影レンズ
４                      底板
５                      ハウジング
５ａ，５ｂ，５ｃ，５ｄ  開口
６ａ，６ｂ              支持部材
１０                    路面
１１ａ，１１ｂ          光源
１２ａ，１２ｂ          リフレクタ
１２ａ１，１２ｂ１      放物系反射面
１３ａ，１３ｂ          レンズ
１３ａ１，１３ｂ１      レンズカット部
１００                  路面設置型灯具
ＣＬ                    センターライン
【図１】
0005246897.tif 000002
【図２】
0005246897.tif 000003
【図３】
0005246897.tif 000004
【図４】
0005246897.tif 000005
【図５】
0005246897.tif 000006
【図６】
0005246897.tif 000007